(57)【特許請求の範囲】
【請求項１】
圧縮機と、凝縮器と、冷蔵用キャピラリーチューブと、冷蔵用送風機を備えた冷蔵用蒸発器と、冷凍用キャピラリーチューブと、冷凍用送風機を備えた冷凍用蒸発器と、アキュムレータとを接続して冷媒流路を構成し、
冷媒流路には冷凍用キャピラリーチューブに流れる冷媒を合流させると共に冷蔵用蒸発器と冷凍用蒸発器との間に介設して冷媒を流す連結部材を備え、
冷蔵用キャピラリーチューブ、冷蔵用蒸発器、連結部材及び冷凍用蒸発器に冷媒を流す冷蔵モードと、冷凍用キャピラリーチューブ、連結部材及び冷凍用蒸発器に冷媒を流す冷凍モードとを切り替える切替弁を冷媒流路に介設した冷蔵庫において、
連結部材の熱とアキュムレータ側の熱を熱交換する
ことを特徴とする冷蔵庫。
【請求項２】
連結部材とアキュムレータを接触させる
ことを特徴とする請求項１記載の冷蔵庫。
【請求項３】
アキュムレータより低い位置の連結部材の箇所より枝分かれさせた枝管を上方に向けて形成し、
枝管とアキュムレータを熱交換する
ことを特徴とする請求項１記載の冷蔵庫。
【請求項４】
一端側を連結部材と、他端側をアキュムレータと接触させた伝熱板を備えている
ことを特徴とする請求項１記載の冷蔵庫。
【請求項５】
伝熱板はヒートパイプで構成している
ことを特徴とする請求項４記載の冷蔵庫。
【請求項６】
連結部材と冷凍用蒸発器の出口パイプを接触させる
ことを特徴とする請求項１記載の冷蔵庫。
【請求項７】
圧縮機と、凝縮器と、冷蔵用キャピラリーチューブと、冷蔵用送風機を備えた冷蔵用蒸発器と、冷凍用キャピラリーチューブと、冷凍用送風機を備えた冷凍用蒸発器と、アキュムレータとを接続して冷媒流路を構成し、
冷媒流路には冷凍用キャピラリーチューブに流れる冷媒を合流させると共に冷蔵用蒸発器と冷凍用蒸発器との間に介設して冷媒を流す連結部材を備え、
冷蔵用キャピラリーチューブ、冷蔵用蒸発器、連結部材及び冷凍用蒸発器に冷媒を流す冷蔵モードと、冷凍用キャピラリーチューブ、連結部材及び冷凍用蒸発器に冷媒を流す冷凍モードとを冷媒流路に介設した切替弁により切り替え制御するようにした冷蔵庫の制御方法において、
冷凍モードより冷蔵モードに切り替えるときのみ、一定時間、低圧側への冷媒の流入を遮断するモードを持たせて制御している
ことを特徴とする冷蔵庫の制御方法。
【請求項８】
圧縮機は回転数を可変して能力可変とし、回転数によって冷媒の流入を遮断するモードの時間を変えている
ことを特徴とする請求項７記載の冷蔵庫の制御方法。
【請求項９】
冷媒の流れを遮断している期間、冷凍用送風機を回転させ、冷蔵用送風機は停止させる
ことを特徴とする請求項７記載の冷蔵庫の制御方法。
【請求項１０】
冷凍室からの冷気をダンパにより制御し、冷凍温度帯から冷蔵温度帯まで温度制御が可能な区画室を備え、
前記区画室の温度設定が冷凍温度設定である場合、冷媒を遮断するモードのときダンパを開いて冷気を導入する
ことを特徴とする請求項７記載の冷蔵庫の制御方法。
【発明の詳細な説明】
【０００１】
【発明の属する技術分野】
本発明は、冷蔵用の蒸発器と冷凍用の蒸発器との２つの蒸発器を備え、冷媒流路を切替弁と２つのキャピラリーチューブによって冷蔵モード、冷凍モードを交互に冷却するようにした冷蔵庫及び冷蔵庫の制御方法に関するものである。
【０００２】
【従来の技術】
先ず、従来例を説明するが、冷蔵庫の構成自体は実施例と同じなので、実施例の図面を用いて従来例を説明する。
【０００３】
図７は冷蔵庫１０の構成を示し、上から冷蔵室１４、野菜室１６、製氷室２０、冷蔵温度帯から冷凍温度帯まで任意に温度設定が可能な温度切替室１８、冷凍室２２が設けられている。冷蔵室１４と冷凍室２２との間には断熱仕切体２４で仕切られている。
【０００４】
図１２は庫内の冷気の流れを示し、冷凍用蒸発器（以下、Ｆエバという）５２で作られた冷気は、冷凍用送風機５６で冷凍室２２に送られ、冷却しＦエバ５２に戻る。同様に冷蔵用蒸発器（以下、Ｒエバという）５０で作られた冷気は、冷蔵用送風機５４で冷蔵室１４、野菜室１６に送られ、冷却しＲエバ５０に戻る。
【０００５】
図１３は本冷蔵庫１０のサイクル構成を示し、圧縮機４６で圧縮・加圧された高温の冷媒はコンデンサ１００で放熱され、コンデンサ１００から出た冷媒は三方弁６８に入る。冷蔵室１４を冷却する場合（冷蔵モード）は、冷蔵用キャピラリーチューブ（Ｒキャピ）７０、冷凍室２２を冷却する場合（冷凍モード）は、冷凍用キャピラリーチューブ（Ｆキャピ）７２に冷媒が流れるように三方弁６８により冷媒流路を切り替える。
【０００６】
そして、冷蔵モード時は冷蔵用送風機５４を、冷凍モード時は冷凍用送風機５６を冷媒流路の切り替えと同時に運転する。
【０００７】
【発明が解決しようとする課題】
図１４は冷凍室冷却モード（以下、Ｆモードという。）、図１５は冷蔵室冷却モード（以下、Ｒモードという。）の安定時のサイクル内の冷却分布を示したものである。コンデンサ１００、Ｒエバ５０、Ｆエバ５２内の斜線部分は飽和液冷媒を示す。コンデンサ１００では放熱、凝縮することにより出口付近では飽和液冷媒の比率が高まり、逆にＲエバ５０、Ｆエバ５２では吸熱、蒸発することにより出口付近では飽和蒸気の比率が高まる。Ｒエバ５０、Ｆエバ５２で蒸発しきれなかった冷媒は、Ｆモードではアキュムレータ７４に、ＲモードではＦエバ５２にそれぞれ溜まる。
【０００８】
図１４では、Ｆモードでサイクルが動いている状態を示している。Ｆエバ５２では冷媒は蒸発し、一部の飽和液冷媒がアキュムレータ７４に溜まっている。Ｒエバ５０の出口と、Ｆエバ５２の入口は連結パイプ１０４によりつながっているが、冷媒の蒸発温度より冷蔵室庫内温度が高いため、Ｒエバ５０には液冷媒は滞留することはない。
【０００９】
図１５では、Ｒモードでサイクルが動いている状態を示している。Ｒエバ５０で冷媒は蒸発し、一部の飽和液冷媒がＦエバ５２、アキュムレータ７４に溜まっている。
【００１０】
ＦモードからＲモードに切り替わるとき、速やかに冷媒分布が図１４の分布から図１５の分布に変わる必要がある。
【００１１】
ＦモードよりＲモードに切り替えた直後の過渡状態では、サイクル中の冷媒がＦエバ５２及びアキュムレータ７４に残っているため、一時的に冷媒不足となり、Ｒエバ５０に必要な冷媒が流れてこず、Ｒエバ５０の下流、出口付近では冷媒は蒸発しきり、温度が高い過熱蒸気となり、熱交換できず、Ｒエバ５０の伝熱面積を有効に使うことができないという問題があった。また、この時、Ｆエバ５２の入口は、Ｒエバ５０の出口の過熱蒸気が流れ込み、温度が上がる問題もあった。
【００１２】
このように、従来では冷媒流路をＦモードよりＲモードに切り替えるとき、一時的に冷媒分布の偏りのため、Ｒエバ５０が有効に使えず、サイクル効率が低下する問題があった。
【００１３】
そこで、本発明は上記問題点に鑑み、冷凍室を冷却する冷凍モードから冷蔵室を冷却する冷蔵モードに冷媒流路を切り替え後、アキュムレータに滞留している液冷媒を蒸発させることにより、冷媒の分布を速やかに冷蔵モードに適したものにしてロスを低減させるようにした冷蔵庫及び冷蔵庫の制御方法を提供するものである。
【００１４】
【課題を解決するための手段】
本発明の請求項１の冷蔵庫は、圧縮機と、凝縮器と、冷蔵用キャピラリーチューブと、冷蔵用送風機を備えた冷蔵用蒸発器と、冷凍用キャピラリーチューブと、冷凍用送風機を備えた冷凍用蒸発器と、アキュムレータとを接続して冷媒流路を構成し、冷媒流路には冷凍用キャピラリーチューブに流れる冷媒を合流させると共に冷蔵用蒸発器と冷凍用蒸発器との間に介設して冷媒を流す連結部材を備え、冷蔵用キャピラリーチューブ、冷蔵用蒸発器、連結部材及び冷凍用蒸発器に冷媒を流す冷蔵モードと、冷凍用キャピラリーチューブ、連結部材及び冷凍用蒸発器に冷媒を流す冷凍モードとを切り替える切替弁を冷媒流路に介設した冷蔵庫において、連結部材の熱とアキュムレータ側の熱を熱交換することを特徴としている。
【００１５】
請求項２の冷蔵庫は、請求項１のものにおいて、連結部材とアキュムレータを接触させることを特徴としている。
【００１６】
請求項３の冷蔵庫は、請求項１のものにおいて、アキュムレータより低い位置の連結部材の箇所より枝分かれさせた枝管を上方に向けて形成し、枝管とアキュムレータを熱交換することを特徴としている。
【００１７】
請求項４の冷蔵庫は、請求項１のものにおいて、一端側を連結部材と、他端側をアキュムレータと接触させた伝熱板を備えていることを特徴としている。
【００１８】
請求項５の冷蔵庫は、請求項４のものにおいて、伝熱板はヒートパイプで構成していることを特徴としている。
【００１９】
請求項６の冷蔵庫は、請求項１のものにおいて、連結部材と冷凍用蒸発器の出口パイプを接触させることを特徴としている。
【００２０】
請求項７の冷蔵庫の制御方法は、圧縮機と、凝縮器と、冷蔵用キャピラリーチューブと、冷蔵用送風機を備えた冷蔵用蒸発器と、冷凍用キャピラリーチューブと、冷凍用送風機を備えた冷凍用蒸発器と、アキュムレータとを接続して冷媒流路を構成し、冷媒流路には冷凍用キャピラリーチューブに流れる冷媒を合流させると共に冷蔵用蒸発器と冷凍用蒸発器との間に介設して冷媒を流す連結部材を備え、冷蔵用キャピラリーチューブ、冷蔵用蒸発器、連結部材及び冷凍用蒸発器に冷媒を流す冷蔵モードと、冷凍用キャピラリーチューブ、連結部材及び冷凍用蒸発器に冷媒を流す冷凍モードとを冷媒流路に介設した切替弁により切り替え制御するようにした冷蔵庫の制御方法において、冷凍モードより冷蔵モードに切り替えるときのみ、一定時間、低圧側への冷媒の流入を遮断するモードを持たせて制御していることを特徴としている。
【００２１】
請求項８の冷蔵庫の制御方法は、請求項７のものにおいて、圧縮機は回転数を可変して能力可変とし、回転数によって冷媒の流入を遮断するモードの時間を変えていることを特徴としている。
【００２２】
請求項９の冷蔵庫の制御方法は、請求項７のものにおいて、冷媒の流れを遮断している期間、冷凍用送風機を回転させ、冷蔵用送風機は停止させることを特徴としている。
【００２３】
請求項１０の冷蔵庫の制御方法は、請求項７のものにおいて、冷凍室からの冷気をダンパにより制御し、冷凍温度帯から冷蔵温度帯まで温度制御が可能な区画室を備え、前記区画室の温度設定が冷凍温度設定である場合、冷媒を遮断するモードのときダンパを開いて冷気を導入することを特徴としている。
【００２４】
本発明の請求項１の冷蔵庫であると、連結部材とアキュムレータとを熱交換させることで、アキュムレータ内に滞留した冷媒は加熱されて蒸発し、逆に連結部材を流れる過熱ガスは冷却されることにより、冷凍用蒸発器の入口の温度が低くなり、また、アキュムレータに滞留する冷媒が蒸発することで、速やかに冷蔵モードに適した冷媒分布とすることができる。
【００２５】
請求項２の冷蔵庫であると、連結部材とアキュムレータとを接触させていることで、効率の良い熱交換を行なうことができる。
【００２６】
請求項３の冷蔵庫であると、位置的に連結部材とアキュムレータとを接触させることが困難な場合でも、連結部材に形成した枝管により連結部材とアキュムレータとを容易に熱交換させることができる。
【００２７】
請求項４及び請求項５の冷蔵庫であると、連結部材とアキュムレータとを直接接触させなくても、伝熱板あるいはヒートパイプを介して連結部材とアキュムレータを熱交換させることができる。
【００２８】
請求項６の冷蔵庫であると、連結部材と冷凍用蒸発器の出口パイプを接触させていることで、両者の熱交換により冷凍用蒸発器の出口の液冷媒を蒸発させることができる。
【００２９】
請求項７の冷蔵庫の制御方法であると、一定時間、低圧側に冷媒の流入を遮断することで、冷凍用蒸発器に滞留している冷媒を高圧側の圧縮機で回収し、一定時間の後、冷蔵用蒸発器に冷媒を流すことで、速やかに冷蔵モードの冷媒分布とすることができる。
【００３０】
請求項８の冷蔵庫の制御方法であると、圧縮機の回転数が高い場合は、冷凍用蒸発器の冷媒を早く回収することができる。
【００３１】
請求項９の冷蔵庫の制御方法であると、冷凍用送風機を回転させて、冷凍用蒸発器と冷凍室庫内の空気と熱交換させることで、冷媒の蒸発を促進させ、回収に要する時間を短くすることができる。
【００３２】
請求項１０の冷蔵庫の制御方法であると、ダンパを開くことで、冷凍用蒸発器と区画室の空気と熱交換させることで、回収に要する時間を短くすることができる。
【００３３】
【発明の実施の形態】
（第１の実施例）
以下、本発明の第１の実施例を図１〜図１１に基づいて説明する。
【００３４】
先ず、冷蔵庫の全体の構成について図６〜図１１に基づいて説明する。
【００３５】
図６は、本実施例の冷蔵庫１０の正面図であり、図７は、冷蔵庫１０の各扉を開けた状態の正面図である。
【００３６】
まず、図６及び図７に基づいて冷蔵庫１０の構成を説明する。
【００３７】
冷蔵庫１０の本体であるキャビネット１２には、上段から冷蔵室１４、野菜室１６、温度切替室１８、冷凍室２２が設けられている。また、温度切替室１８の左側には製氷室２０が設けられている。そして、野菜室１６と温度切替室１８、製氷室２０との間には断熱仕切体２４が配されている。
【００３８】
冷蔵室１４には、ヒンジによって開閉する冷蔵室扉１４ａが設けられている。また、この冷蔵室１４の下部には、約０℃付近で庫内温度を維持するチルド室２６が設けられている。
【００３９】
野菜室１６は、引出式の野菜室扉１６ａが設けられ、この扉と共に野菜容器２８が引き出し可能となっている。野菜容器２８にはクリスパカバー２９によって覆われている。
【００４０】
温度切替室１８には、引出式の温度切替室扉１８ａが設けられ、この扉と共に温度切替室容器３０が引き出し可能となっている。
【００４１】
冷凍室２２にも、引出式の冷凍室扉２２ａが設けられ、この扉と共に冷凍容器３２が引き出し可能となっている。
【００４２】
製氷室２０は、図９に示すように、その天井部付近に製氷装置３４が設けられ、この下方には貯氷容器３６が設けられている。
【００４３】
製氷装置３４は、製氷皿３８と、それを回転させる駆動部４０と、貯氷容器３６の氷の量を検知する検氷レバー４２とよりなる。なお、製氷皿３８に水を供給するタンク４４は、チルド室２６の左側に設けられている。
【００４４】
次に、図８〜図１１に基づいて、冷蔵庫１０の冷凍サイクルの構造及びその配置について説明する。
【００４５】
まず、圧縮機４６は、図９に示すように、キャビネット１２の底部、すなわち冷凍室２２の後方下部に設けられている機械室４８に設けられている。
【００４６】
冷蔵庫１０の蒸発器は冷蔵用と冷凍用の２つ存在し、冷蔵用蒸発器（以下、Ｒエバという）５０は野菜室１６の後方に配され、冷凍用蒸発器（以下、Ｆエバという）５２は冷凍室２２の後方上部に設けられている。また、Ｒエバ５０の上方には冷蔵用送風機（以下、Ｒファンという）５４が設けられ、Ｆエバ５２の上方には冷凍用送風機（以下、Ｆファンという）５６が設けられている。また、Ｒエバ５０の下方には除霜ヒータ９６が設けられている。Ｆエバ５２の下方には除霜ヒータ９８が設けられている。
【００４７】
ところで、温度切替室１８の左側壁と底板は断熱構造となっている。これによって、温度切替室１８の庫内温度を冷蔵室と同じ温度に設定しても、周囲に存在する冷凍室２２等からの温度影響を受けることがない。さらに、温度切替室１８の背面板も断熱構造となっているため、Ｆエバ５２からの温度影響を受けることもない。
【００４８】
この冷凍サイクルの装置の配置を概説したものが図１０であり、その冷媒流路を示したブロック図が図１１である。以下、この図１０及び図１１に基づいて、冷媒の流れについて説明する。
【００４９】
圧縮機４６から出た冷媒は、マフラー５８、放熱パイプ６０、凝縮器６２、防露パイプ６４、ドライヤー６６を経て三方弁６８に至る。三方弁６８において冷媒流路は分岐し、一方は冷蔵用キャピラリーチューブ７０に向かい、他方は冷凍用キャピラリーチューブ７２に向かう。冷蔵用キャピラリーチューブ７０から前記したＲエバ５０に至り、冷凍用キャピラリーチューブ７２の出口側と１つになり、前記したＦエバ５２に至る。その後、アキュムレータ７４、サクションパイプ７６を通って圧縮機４６に戻る。
【００５０】
ここで、上記で説明していない各装置の冷蔵庫１０における取付位置を説明する。
【００５１】
凝縮器６２は、図１０に示すように、複数回折曲されて板状に構成され、図９に示すように、冷凍室２２の底部下方に配されている。また、アキュムレータ７４は、図８に示すように、Ｆエバ５２の右側に取り付けられている。
【００５２】
次に、上記構成の冷凍サイクルにおける冷気の流れを冷蔵庫１０の図８及び図９を用いて説明する。
【００５３】
まず、Ｒエバ５０によって冷却された冷気の流れについて説明する。
【００５４】
Ｒエバ５０によって冷却された冷気は、Ｒファン５４の前側から、野菜室１６の後方に位置する冷蔵分岐空間７８に送り込まれる。この冷蔵分岐空間７８の上部は、冷蔵室１４の背面に設けられている冷蔵ダクト８０に接続され、この冷蔵ダクト８０に冷気が送られる。冷蔵ダクト８０は、図８に示すように、冷蔵室１４の下部で二股に分かれ、ほぼＵ字状の形状をなしている。冷蔵ダクト８０の前面には所定間隔毎に冷気の吹出口８２が設けられ、これら吹出口８２から冷蔵室１４に冷気が吹き込まれる。冷蔵室１４を冷却した冷気はチルド室２６、タンク４４の下方を通って（図９参照）、Ｒファン５４及びＲエバ５０の左右に設けられたリターンダクト８４に流れ（図８参照）、Ｒエバ５０の下方に吹き出される。そして、この冷気は再びＲエバ５０で冷却されて、Ｒファン５４の位置に至る。
【００５５】
一方、冷蔵分岐空間７８からは、野菜室１６のクリスパカバー２９に沿って吹き出され、野菜室１６を冷却する（図９参照）。この冷気は、野菜容器２８の底部を前から後ろに向かって流れ、リターン開口部８８に至ってＲエバ５０に循環する（図８参照）。
【００５６】
次に、Ｆエバ５２によって冷却された冷気の流れを説明する。
【００５７】
Ｆエバ５２によって冷却された冷気はＦファン５６により、冷凍分岐空間９０に至る。この冷凍分岐空間９０の上部は製氷装置３４に通じており、冷気はこの上部から製氷装置３４に吹き出す。また、冷凍分岐空間９０の下部は、冷凍室２２の冷凍容器３２の背面板に開口している孔３３と、冷凍容器３２の上面に通じており、冷気は、この下部から冷凍容器３２内部に向かって吹き出す。
【００５８】
製氷室２０を冷却した冷気は冷凍室２２の前面に流れ、冷凍室２２の冷凍容器３２の内部を冷却した冷気は冷凍室２２の前面に流れる。そして、この冷気は冷凍容器３２の前面に沿って下方に流れ、底部を通ってリターンダクト９２に至る。リターンダクト９２に流れ込んだ冷気は、Ｆエバ５２に循環する。
【００５９】
図８及び図９に示すように、冷凍分岐空間９０の右側には、温度切替室１８に冷気を送るためのダンパ装置９４が設けられ、このダンパ装置９４のダンパの開閉によって、温度切替室１８に送る冷気の量を調整され、その庫内温度を調整する。温度切替室１８を冷却した冷気は、温度切替室１８の底部からＦエバ５２に通じるリターンダクト９５に流れ込みＦエバ５２に循環する。
【００６０】
また、Ｒエバ５０、Ｆエバ５２は、所定の温度以下になった場合には、除霜ヒータ９６、９８により除霜される。
【００６１】
次に本発明の要旨について説明する。図２にＦモードよりＲモードに切り替った直後の冷媒分布を示す。これは図１４のＦモード安定状態から図１５のＲモードの安定状態に移る過渡状態となっている。Ｒエバ５０の出口では冷媒は蒸発しきっていて過熱ガスとなっている。その過熱ガスがＦエバ５２の入口に流入するが、該Ｆエバ５２の出口付近及びアキュムレータ７４には液冷媒が滞留している。そのため、Ｒエバ５０に十分な冷媒が供給されない。
【００６２】
Ｆエバ５２の入口から流れ込む過熱ガスにより徐々にＦエバ５２の出口及びアキュムレータ７４も加熱され液冷媒が減少し、図１５の冷媒分布に変わる。この時のＲエバ５０の入口、出口、Ｆエバ５２の入口、出口及びアキュムレータ７４の温度変化を図３に示す。ＦモードからＲモードへの切り替え直後のＲエバ５０の入口の温度が下がっているが、出口の温度がそれに対し高く、連結パイプ１０４でつながるＦエバ５２の入口の温度も高くなっていることも分かる。
【００６３】
図１に冷蔵庫のＦエバ５２周りの構造を示す。Ｒエバ５０の出口につながる連結パイプ１０４の温度はＲモードに切り替った直後は、Ｒエバ５０の出口では過熱ガスとなっており、そのまま連結パイプ１０４を通りＦエバ５２に流れ込むため、アキュムレータ７４より高い温度となっている。
【００６４】
そこで、連結パイプ１０４が冷凍庫内に入ったところでアキュムレータ７４と熱交換させることにより、アキュムレータ７４内に滞留した冷媒は加熱されて蒸発し、逆に連結パイプ１０４を流れる過熱ガスは冷却されることにより、Ｆエバ５２の入口の温度が低くなり、またアキュムレータ７４に滞留する冷媒が蒸発することにより速やかにＲモードに適した冷媒分布となる。
【００６５】
具体的には図１に示すように、アキュムレータ７４と連結パイプ１０４を熱交換させるために、連結パイプ１０４の途中の部分をアキュムレータ７４に接触させている。連結パイプ１０４とアキュムレータ７４との密着度を良くするために、両者をアルミテープで巻き付けたり、また、金属の板で連結パイプ１０４をアキュムレータ７４に固定する等の方法で、連結パイプ１０４とアキュムレータ７４とを密着させるようにしても良い。
【００６６】
（第２の実施例）
第１の実施例では、連結パイプ１０４自体とアキュムレータ７４を接触させて熱交換させていたが、連結パイプ１０４の位置関係では接触させることが困難な場合もある。その場合、何らかの手段で熱交換させる必要がある。
【００６７】
ところで、一般的にアキュムレータ７４はＦエバ５２より高い位置に取り付けられている。位置が高く温度が低い物と、位置が低く温度が高い物を熱交換させる手段として、冷媒の蒸発／凝縮の相変化を利用するサーモサイフォンがある。その原理を用いた例を図４に示す。
【００６８】
図４に示すように、アキュムレータ７４より位置が低い連結パイプ１０４の部分より枝管１０６を枝分かれさせて一体に形成している。なお、この枝管１０６は略Ｌ型に形成されていて、その先端は閉塞されている。そして、枝管１０６を上方に位置するアキュムレータ７４に伸ばして接触させている。この枝管１０６とアキュムレータ７４との接触のさせ方は第１の実施例の場合と同様である。
【００６９】
アキュムレータ７４に接触し冷やされた枝管１０６の内部に接触する冷媒ガスは凝縮して液冷媒となる。このとき、アキュムレータ７４は加熱される。凝縮した液冷媒は重力により落下し、連結パイプ１０４に流れ込む。連結パイプ１０４には過熱ガスが流れているため、再度そこで蒸発する。この動作を行なうことにより、Ｆエバ５２及びアキュムレータ７４の液冷媒が蒸発する。
【００７０】
（第３の実施例）
第１、第２の実施例では、連結パイプ１０４または枝管１０６を直接アキュムレータ７４と熱交換させていたが、本実施例では図５に示すように伝熱板１０８を用いて離れた位置の連結パイプ１０４とアキュムレータ７４を熱交換させるようにしている。ただし、アキュムレータ７４と連結パイプ１０４と伝熱板１０８が置かれる雰囲気温度は、
アキュムレータ７４＜雰囲気温度＜連結パイプ１０４
であり、伝熱板１０８が雰囲気温度の影響を受けないようにアキュムレータ７４と連結パイプ１０４をつなぐ伝熱板１０８の距離は短い方が望ましい。
【００７１】
（第４の実施例）
先の第３の実施例では、熱伝達に伝熱板１０８を用いたが、熱を伝える部材としてヒートパイプ（図示せず）を用いるようにしても良い。
【００７２】
（第５の実施例）
第１の実施例から第４の実施例においては、アキュムレータ７４を連結パイプ１０４で加熱する方法を説明してきたが、本実施例では、Ｆエバ５２の出口付近にも冷媒は滞留しているため、連結パイプ１０４とＦエバ５２の出口パイプ１１０（図２参照）と熱交換させるようにしている。これによりＦエバ５２の出口の液冷媒が蒸発する。
【００７３】
（第６の実施例）
上記実施例１〜実施例５では、Ｆエバ５２のアキュムレータ７４及び出口付近を連結パイプ１０４等で加熱して過渡特性を改善してきた。
【００７４】
コンデンサ１００の出口の三方弁６８で冷媒の流れを２本のキャピラリーチューブ７０、７１のどちらかに切り替えるのではなく、本実施例ではどちらのキャピラリーチューブ７０、７１にも冷媒を流さないモードを持たせるようにする。あるいは、三方弁６８の他に冷媒の流れを止める二方弁（図示せず）を付加し、冷媒がエバ５０、５２側に流れないモードを持たせるようにしても良い。
【００７５】
このように、本実施例では、ＦモードよりＲモードに切り替える際、前記弁を動作させ一定時間キャピラリーチューブ７０、７１に冷媒が流れ込まないようにすることにより、Ｆエバ５２に滞留している冷媒を高圧側の圧縮機４６で回収し、一定時間の後、前記弁を開きＲエバ５０に冷媒を流すことで、速やかにＲモードの冷媒分布とすることができる。
【００７６】
（第７の実施例）
実施例６は圧縮機４６を運転することによりＦエバ５２中の冷媒を回収していた。そのため、圧縮機４６の能力によりその回収に要する時間が異なることになる。圧縮機４６の回転数が高い場合は短く、低い場合は長くかかる。例えば、圧縮機４６の回転数が３０ｒｐｓの場合９０秒、７０ｒｐｓの場合は３０秒のようになる。すなわち、本実施例では、圧縮機４６の回転数が可変可能な場合はその回転数によって冷媒の流入を遮断するモードの時間を変えているものである。
【００７７】
（第８の実施例）
実施例６において、圧縮機４６でＦエバ５２内の冷媒を回収する場合、Ｆエバ５２内の圧力は通常の運転時より低くなり、液冷媒が蒸発しサクションパイプ７６を通って圧縮機４６に流れる。そのため、そのとき冷凍用送風機５６を運転することにより、Ｆエバ５２と冷凍室２２の庫内空気を熱交換させることにより冷媒の蒸発は促進され、回収に要する時間を短くすることができる。この時、Ｒエバ５０には液冷媒が無いため、冷蔵用送風機５４を運転する必要が無く停止させている。
【００７８】
（第９の実施例）
実施例８では、Ｆエバ５２と冷凍室２２と熱交換を行なわせていた。本発明の冷蔵庫の場合のように、Ｆエバ５２からの冷気を分配し、その冷気の流れをダンパ装置９４のダンパで制御して、冷凍温度帯から冷蔵温度帯まで温度を制御することが可能な温度切替室１８を持つ場合、その温度切替室１８が冷凍温度に設定されている場合、実施例８の運転を行なっている場合では、上記ダンパを開くことにより、Ｆエバ５２とその温度切替室１８とも熱交換させることができ、Ｆエバ５２中の冷媒の回収に要する時間を短くすることができる。
【００７９】
【発明の効果】
以上により本発明の冷蔵庫及び冷蔵庫の制御方法であると、冷凍モードから冷蔵モードに切り替わるときの冷媒分布の遅れを改善することができ、これにより、一時的に冷媒分布が偏ることがなく、Ｒエバが有効に使え、サイクル効率の低下を防止できる。
【００８０】
また、連結パイプとアキュムレータとを直接接触させたり、伝熱板を用いて熱交換させているので、複雑な制御を必要とせず、コストの上昇を防ぐことができる。
【図面の簡単な説明】
【図１】本発明の連結パイプとアキュムレータを熱交換させる構成を示す図である。
【図２】冷蔵モードに切り替った直後のサイクル内の冷媒分布を示す図である。
【図３】冷凍モードより冷蔵モードへ切り替え時の蒸発器及びアキュムレータの温度変化を示す図である。
【図４】連結パイプに形成した枝管とアキュムレータを熱交換させる場合の構成図である。
【図５】連結パイプとアキュムレータと伝熱板で熱交換させる場合の構成図である。
【図６】本発明の一実施例を示す冷蔵庫の正面図である。
【図７】同じく扉を開けた状態のキャビネットの正面図である。
【図８】冷蔵庫のキャビネットの後方における縦断面図である。
【図９】図６におけるＡ−Ａ線断面図である。
【図１０】冷凍サイクルを構成する各装置の配置図である。
【図１１】冷媒流路を示すブロック図である。
【図１２】冷蔵庫の庫内側冷気の流れのダクト構成図である。
【図１３】冷凍サイクルの概略構成図である。
【図１４】冷凍モード時におけるサイクル内の冷媒分布を示す図である。
【図１５】冷蔵モード時におけるサイクル内の冷媒分布を示す図である。
【符号の説明】
１０  冷蔵庫
４６  圧縮機
５０  Ｒエバ
５２  Ｆエバ
５４  Ｒファン
５６  Ｆファン
６８  三方弁
７０  冷蔵用キャピラリーチューブ
７２  冷凍用キャピラリーチューブ
１０４  連結パイプ
１０６  枝管
１０８  伝熱板
１１０  出口パイプ
【図１】
0003567108.tif 000002
【図２】
0003567108.tif 000003
【図３】
0003567108.tif 000004
【図４】
0003567108.tif 000005
【図５】
0003567108.tif 000006
【図６】
0003567108.tif 000007
【図７】
0003567108.tif 000008
【図８】
0003567108.tif 000009
【図９】
0003567108.tif 000010
【図１０】
0003567108.tif 000011
【図１１】
0003567108.tif 000012
【図１２】
0003567108.tif 000013
【図１３】
0003567108.tif 000014
【図１４】
0003567108.tif 000015
【図１５】
0003567108.tif 000016